(57)【要約】【課題】貯水槽に供給される水から塵を高い確率で除去する。【解決手段】除塵管理枡２０は、上端が地表に表出するように埋設され流入管２０ａから供給される水を内部に貯留する管理枡本体２１と、管理枡本体２１の上端を開放可能に閉止する蓋体２４と、管理桝本体２１に貯留された水を貯水槽１０に供給する水供給管２６とを備える。管理桝本体２１の内部に開口した水供給管２６に一端が連結され他端がその一端より下方に位置する連絡管２７を介して管理桝本体２１に貯留された水を貯水槽１０に供給するように構成される。管理桝本体２１内部の水位が貯水槽１０内部の水位以上のときに管理桝本体２１内部から貯水槽１０に水が流れるのを許容し管理桝本体２１内部の水位が貯水槽１０の水位未満のとき貯水槽１０の水が管理桝本体２１内部に流れるのを阻止するように構成された逆止弁２９が水供給管２６又は連絡管２７に設けられる。【選択図】  図１
2008308974.tif 000002
【特許請求の範囲】
【請求項１】
上端が地表に表出するように埋設され流入管(20a)から供給される水を内部に貯留する管理枡本体(21)と、前記管理枡本体(21)の上端を開放可能に閉止する蓋体(24)と、前記管理桝本体(21)に貯留された水を貯水槽(10)に供給する水供給管(26)とを備えた除塵管理枡(20)において、
前記管理桝本体(21)の内部に開口した前記水供給管(26)に一端が連結され他端が前記一端より下方に位置する連絡管(27)を介して前記管理桝本体(21)に貯留された水を前記貯水槽(10)に供給するように構成された
ことを特徴とする貯水槽用除塵管理枡。
【請求項２】
水供給管(26)に上端が連結された連絡管(27)は下端が管理桝本体(21)の底部に臨んで開口するように鉛直に設けられた請求項１記載の貯水槽用除塵管理枡。
【請求項３】
管理桝本体(21)内部の水位が貯水槽(10)内部の水位以上のときに前記管理桝本体(21)内部から前記貯水槽(10)に水が流れるのを許容し前記管理桝本体(21)内部の水位が前記貯水槽(10)の水位未満のとき前記貯水槽(10)の水が前記管理桝本体(21)内部に流れるのを阻止するように構成された逆止弁(29)が水供給管(26)又は連絡管(27)に設けられた請求項１又は２記載の貯水槽用除塵管理枡。
【請求項４】
連絡管(27)は、水の供給断面積が２０〜１８０ｃｍ2であって、長さが３０〜２００ｃｍである請求項１ないし３いずれか１項に記載の貯水槽用除塵管理枡。
【請求項５】
管理枡本体(21)は、流入管(20a)が接続された上部枡(22)と、前記上部枡(22)に上部が接続され前記流入管(20a)から供給される水を上端開口部から流下させる有底筒状の下部鉛直枡(23)とを備え、
前記下部鉛直枡(23)の上端が前記上部枡(22)の底壁(22a)を貫通して前記上部枡(22)が前記下部鉛直枡(23)の上端を包囲するように設けられ、
前記底壁(22a)を貫通した前記下部鉛直枡(23)の上端周囲に前記流入管(20a)から供給されて前記下部鉛直枡(23)の上端開口部に流入する水に含まれる固形物を沈降させる周溝(33)が形成された
請求項１ないし４いずれか１項に記載の貯水槽用除塵管理枡。
【発明の詳細な説明】
【技術分野】
【０００１】
本発明は、地下に埋設されて水を貯留する貯水槽に連結して設けられ、その貯水槽に供給される水から塵を除去する貯水槽用除塵管理枡に関するものである。
【背景技術】
【０００２】
従来、雨水を有効に利用するための設備として、地下に貯水槽を埋設してこの貯水槽に雨水を貯留するものが知られている。この設備では、家屋の屋根若しくは屋上又は地表に落下した雨水を樋又は溝により集め、この集めた水を流入管に導き、この流入管を介して貯水槽にその水を供給してその内部に貯留するように構成される。また、このような設備には地上から内部に貯留された水を抜出し可能なポンプ等の排水手段が設けられ、この排水手段により内部に貯留された水を抜出してその水を利用できるように構成される。
【０００３】
また、いわゆる洪水の発生を回避する設備として、地下に貯水槽を埋設してこの貯水槽に余剰雨水を一時的に貯留することにより、その余剰雨水が地表を流れることを防止するものが知られている。この設備では、地上の河川を流れる雨水が所定の水位以上に上昇した場合に、余剰雨水が流入管を介して貯水槽に一時的に貯留されるとともに、地下に埋設された貯水槽はその一時的に貯留した雨水が周囲の土壌に浸透可能に構成される。従って、貯水槽に一時的に貯留された雨水は、その後の晴天時において貯水槽周囲の土壌に漏れ出して内部に再び雨水を貯留するための空間を形成するように構成され、その後の降雨時における一定量の雨水を一時的に貯留可能な空間を常に準備しておくようになっている。
【０００４】
従来、このような設備に使用される貯水槽であって、地下に比較的簡易に設置できるものとして、地下貯水槽を形成すべき場所を掘削し、その掘削した中央最下部分にシートを配置してその中央部分に砂、砂礫、割石や、プラスチックの成型体等からなる滞水材を積上げて形成するものが知られている。この場合のシートとして、雨水の再利用を目的とする場合には雨水の透過不能な遮水シートが、洪水の発生を回避することを目的とする場合には雨水の透過を許容する透水シートが使用される。その後、シートの周囲は立ち上げられて滞水材の周囲をそのシートにより包囲し、滞水材の上面にシートの端部を載せることにより滞水材をそのシートにより包み込むことで貯水槽が形成される。この地下貯水槽では、砂、砂礫、割石やプラスチックの成型体等からなる滞水材の隙間に水が貯留するようになっている。
【０００５】
そして、このように地下に埋設された貯水槽には、家屋の屋根若しくは屋上又は地表に落下した雨水や河川を流れる水が貯留されるため、除塵管理枡を設けることが知られている（例えば、特許文献１参照。）。即ち、地下に埋設される貯水槽の内部の洗浄は困難であり、家屋の屋根若しくは屋上又は地表に落下した雨水や河川を流れる水の中には塵が比較的多く含まれる。このため、貯水槽に供給される水から塵を除去する貯水槽用除塵管理枡を貯水槽に連結して設け、貯水槽に供給する以前にその水に含まれる塵を除去して貯水槽の内部が塵で満たされてしまうような事態を回避するようにしている。そしてこの除塵管理枡では、流入管から供給される水を管理枡本体に導いてそこに一時的に貯留させ、その管理枡本体内部で水に含まれる塵を沈降させ、その塵が除去された後の水を水供給管を介して貯水槽に供給するようになっている。
【特許文献１】ＷＯ２００６／００１１３９Ａ１（請求項１１、図１８）
【発明の開示】
【発明が解決しようとする課題】
【０００６】
しかし、上記従来の貯水槽用除塵管理枡では、流入管から供給されて管理枡本体内部に流入する水がその管理枡本体内部に貯留された水を攪拌してしまい、その管理枡本体の内部で沈降した塵が攪拌された水とともに再び上昇して舞い上がり、管理枡本体に接続された水供給管を介して水が貯水槽に供給される際に、その舞い上がった塵も水とともに貯水槽に供給されてしまう未だ解決すべき課題が残存していた。
本発明の目的は、貯水槽に供給される水から塵を高い確率で除去し得る貯水槽用除塵管理枡を提供することにある。
【課題を解決するための手段】
【０００７】
請求項１に係る発明は、図１に示すように、上端が地表に表出するように埋設され流入管２０ａから供給される水を内部に貯留する管理枡本体２１と、管理枡本体２１の上端を開放可能に閉止する蓋体２４と、管理桝本体２１に貯留された水を貯水槽１０に供給する水供給管２６とを備えた除塵管理枡の改良である。
その特徴ある構成は、管理桝本体２１の内部に開口した水供給管２６に一端が連結され他端がその一端より下方に位置する連絡管２７を介して管理桝本体２１に貯留された水を水槽１０に供給するように構成されたところにある。
【０００８】
この請求項１に記載された貯水槽用除塵管理枡では、管理桝本体２１の内部に開口した水供給管２６に連絡管２７の一端を連結させる。このため、流入管２０ａから供給されて管理枡本体２１内部に流入する水がその管理枡本体２１内部に貯留された水を攪拌していたとしても、連絡管２７の内部における水までは攪拌されない。また、連結管２７の他端はその一端より下方に位置するため、塵が舞い上がってその塵が水とともに連絡管２７に流入しても、その塵は連絡管２７の内部で沈降してその一端に連結された水供給管２６にまで達することはない。よって、この連絡管２７を介して管理桝本体２１に貯留された水を貯水槽１０に供給することにより、貯水槽１０に供給される水から塵を高い確率で除去することが可能となる。
【０００９】
請求項２に係る発明は、請求項１に係る発明であって、水供給管２６に上端が連結された連絡管２７は下端が管理桝本体２１の底部に臨んで開口するように鉛直に設けられたことを特徴とする。
この請求項２に記載された貯水槽用除塵管理枡では、水とともに連絡管２７に流入した塵をその連絡管２７の内部で鉛直方向下方に沈降させることができ、連結管２７の鉛直方向上方に位置する一端に連結された水供給管２６にまでその塵が達することを有効に防止することができる。
【００１０】
請求項３に係る発明は、請求項１又は２に係る発明であって、管理桝本体２１内部の水位が貯水槽１０内部の水位以上のときに管理桝本体２１内部から貯水槽１０に水が流れるのを許容し管理桝本体２１内部の水位が貯水槽１０の水位未満のとき貯水槽１０の水が管理桝本体２１内部に流れるのを阻止するように構成された逆止弁２９が水供給管２６又は連絡管２７に設けられたことを特徴とする。
この請求項３に記載された貯水槽用除塵管理枡では、水供給管２６又は連絡管２７に逆止弁２９を設けるので、貯水槽１０に水を貯留させようとする場合に、その貯水槽１０に水供給管２６を介して供給された水が管理枡本体２１に逆流することは防止されるので、その水を貯留するという貯水槽１０の本来的機能を損なうようなことはない。
【００１１】
請求項４に係る発明は、請求項１ないし３いずれか１項に係る発明であって、連絡管２７は、水の供給断面積、即ち連絡管２７の横断面積が２０〜１８０ｃｍ2であって、長さが３０〜２００ｃｍであることを特徴とする。
この請求項４に記載された貯水槽用除塵管理枡では、水の供給断面積が２０〜１８０ｃｍ2であって、長さが３０〜２００ｃｍである連絡管２７を用いることにより、下端から連絡管２７の内部に流入した水から塵をその連絡管２７の内部で確実に沈降させ、その塵が水供給管２６に達することを効果的に防止することができる。
【００１２】
請求項５に係る発明は、請求項１ないし４いずれか１項に係る発明であって、管理枡本体２１は、流入管２０ａが接続された上部枡２２と、上部枡２２に上部が接続され流入管２０ａから供給される水を上端開口部から流下させる有底筒状の下部鉛直枡２３とを備え、下部鉛直枡２３の上端が上部枡２２の底壁２２ａを貫通して上部枡２２が下部鉛直枡２３の上端を包囲するように設けられ、底壁２２ａを貫通した下部鉛直枡２３の上端周囲に流入管２０ａから供給されて下部鉛直枡２３の上端開口部に流入する水に含まれる固形物を沈降させる周溝３３が形成されたことを特徴とする。
この請求項５に記載された貯水槽用除塵管理枡では、水に含まれる固形物を沈降させる周溝３３を形成したので、下部鉛直枡２３に流入する水に含まれるその固形物からなる塵を減少させることができる。このため、管理枡本体２１内部に貯留された水に含まれる塵の量を減少させることができ、その水が攪拌された場合に舞い上がる塵の量を減少させて、貯水槽１０に供給される水から塵を更に高い確率で除去することが可能となる。
【発明の効果】
【００１３】
本発明の貯水槽用除塵管理枡では、管理桝本体の内部に開口した水供給管に連絡管の一端を連結させるので、流入管から供給されて管理枡本体内部に流入する水がその管理枡本体内部に貯留された水を攪拌していたとしても、連絡管の内部における水までは攪拌されない。また、連結管の他端をその一端より下方に位置させるため、塵が舞い上がってその塵が水とともに連絡管に流入しても、その塵は連絡管の内部で沈降してその一端に連結された水供給管にまで達することはなく、この連絡管を介して管理桝本体に貯留された水を貯水槽に供給することにより、貯水槽に供給される水から塵を高い確率で除去することが可能となる。
【００１４】
この場合、管理枡本体が上部枡とその上部枡に上部が接続された下部鉛直枡とを備え、下部鉛直枡の上端が上部枡の底壁を貫通して上部枡が下部鉛直枡の上端を包囲するように設けられ、底壁を貫通した下部鉛直枡の上端周囲に流入管から供給されて下部鉛直枡の上端開口部に流入する水に含まれる固形物を沈降させる周溝を形成すれば、下部鉛直枡に流入する水に含まれるその固形物からなる塵を減少させることができる。このため、管理枡本体内部に貯留された水に含まれる塵の量を減少させることができ、その水が攪拌された場合に舞い上がる塵の量を減少させて、貯水槽に供給される水から塵を更に高い確率で除去することが可能となる。
【発明を実施するための最良の形態】
【００１５】
次に本発明を実施するための最良の形態を図面に基づいて説明する。
図１に示すように、本発明の除塵管理枡２０は貯水槽１０に連結して設けられるものであり、この実施の形態における貯水槽１０は地下に埋設される場合を示す。そしてこの貯水槽１０は家屋の屋根若しくは屋上又は地表に落下した雨水を内部に貯留して、図示しない排水手段により内部に貯留された水を抜出してその水を再利用するようにしたものを示す。この貯水槽１０は、複数の滞水材１２を組み合わせてなる集合体を遮水シート１４により被覆することにより形成される。この実施の形態における滞水材１２としては金型により成形されたプラスチックの成型体１２が用いられる。このプラスチックの成型体からなる滞水材１２は、角錐台形状に形成され、縦横に配設された後その上にも積み重ねられて滞水材１２の集合体が得られる。一方、これらの滞水材１２を被覆する遮水シート１４は、合成ゴム系、合成樹脂系等の遮水性シートであって、その両面には通常保護用の不織布が重ね合わせられる。
【００１６】
この貯水槽１０は、掘削された箇所に遮水シート１４を配置し、その中央部分に滞水材１２を縦横及び上下に配設して集合体を得た後、遮水シート１４の周囲を立ち上げて滞水材１２の集合体の周囲をその遮水シート１４により包囲し、更に滞水材１２の上面に遮水シート１４の端部を載せることにより滞水材１２の集合体をその遮水シート１４により包み込むことで形成される。ここで、単一の遮水シート１４では滞水材１２の集合体を包み込む大きさを有しない場合には、その遮水シート１４を複数枚用意してその端縁で熱溶着してそれらを一体化し、滞水材１２の集合体を包み込むに十分な大きさを得るとともにその溶着した部分の水漏れを防止した遮水シート１４を得る。このように構成された貯水槽１０では、滞水材１２の隙間に水を貯留可能に構成される。
【００１７】
貯水槽１０に連結して設けられる本発明の貯水槽用除塵管理枡２０は、上端が地表に表出するように埋設された管理枡本体２１を備える。この管理枡本体２１は、流入管２０ａが接続された上部枡２２と、その上部枡２２に上部が接続された有底筒状の下部鉛直枡２３とを備える。そして、有底筒状の下部鉛直枡２３が貯水槽１０の内部に立設される。この実施の形態では、貯水槽１０に単一の下部鉛直枡２３が立設される例を示すけれども、この下部鉛直枡２３は単一の貯水槽１０に対して２本立設させても、３本立設させても、又は貯水槽１０の四隅に合計４本の下部鉛直枡２３をそれぞれ立設させても良い。ここで、上部枡２２に接続された流入管２０ａは、家屋の屋根若しくは屋上又は地表に落下して集められた水を管理枡本体２１における上部枡２２に導くものである。そして、この管理枡本体２１を構成する上部枡２２の上端には、その上端開口部を開放可能に閉止する蓋体２４が設けられる。
【００１８】
貯水槽１０の内部に立設された管理枡本体２１を構成する有底筒状の下部鉛直枡２３は、その上部が上部枡２２に接続されて上部枡２２に流入管２０ａから供給された水がその上端開口部から流下するように構成される。そして、その流下する水をこの下部鉛直枡２３の内部に貯留するように構成される。また、この下部鉛直枡２３には、その内部に貯留された水をその周囲である貯水槽１０の内部に供給する水供給管２６が設けられる。この実施の形態における水供給管２６は、断面円形の塩化ビニール製の押出成形された管からなり、その水の供給断面積が２０〜１８０ｃｍ2のものが選定される。そして、この水供給管２６は下部鉛直枡２３に上下に所定の間隔をあけて２箇所にそれぞれが水平方向に伸びて設けられる。
【００１９】
管理枡本体２１である下部鉛直枡２３の内部に開口した水供給管２６の端部には、連絡管２７の一端が連結される。この実施の形態における連絡管２７は水供給管２６と同一の断面円形の塩化ビニール製の押出成形された管からなり、その水の供給断面積が２０〜１８０ｃｍ2であって、長さが３０〜２００ｃｍのものが選定される。そして、この連絡管２７の一端は下部連絡管２７の内部に開口する水供給管２６の端部にいわゆるＬ字管２８を介して連結される。そして、この連絡管２７は他端がその一端より下方に位置するように水供給管２６の端部に設けられ、この実施の形態では、水供給管２６に連結管２７の上端が連結されてその連絡管２７の下端が管理桝本体２１の底部に臨んで開口するように鉛直に設けられる。そして、下部鉛直枡２３の内部に貯留された水は、この連絡管２７の下端から進入して上昇し、その上端から水供給管２６に至り、その水供給管２６の内部を水平方向に流れて下部鉛直枡２３の周囲である貯水槽１０の内部に供給するように構成される。即ち、下部鉛直枡２３の内部に貯留された水は、この連絡管２７を介して貯水槽１０に供給されるように構成される。
【００２０】
また、この連絡管２７には逆止弁２９がその上部に設けられる。図２にこの逆止弁２９を示す。この逆止弁２９は連絡管２７の上部を上下に仕切る仕切壁３１とその上側の連絡管２７内部に収容されたフロート３２とを有する。仕切壁３１の中央部分には円形孔３１ａが形成され、この円形孔３１ａに対向するフロート３２にはこの円形孔３１ａに挿入してその円形孔３１ａを閉塞可能に構成された円錐台形状の突出部３２ａが形成される。そしてこの逆止弁２９におけるフロート３２は水に沈むように構成される。
【００２１】
この逆止弁２９では、フロート３２が水に沈むので、フロート３２が収容された連絡管２７の上部が水により満たされていないとき、或いは水により満たされていたとしても管理枡本体２１内部の水位が貯水槽１０の水位未満のときフロート３２は沈み込んでその突出部３２ａが円形孔３１ａを塞いて、下部鉛直枡２３の周囲である貯水槽１０の内部から水供給管２６を介して下部鉛直枡２３の内部に水が逆流するのを阻止するように構成される。一方、図３に示すように、フロート３２が収容された連絡管２７の上部が水により満たされていてかつ下部鉛直枡２３の内部の水位が下部連絡管２７の周囲であって貯水槽１０内部の水位以上のときにはフロート３２が連絡管２７の上部においてその水位の差により押上げられ、その突出部３２ａは円形孔３１ａから離脱してその円形孔３１ａを開放し、これにより管理枡本体２１の内部から貯水槽１０に水が流れるのを許容するように構成される。
【００２２】
図１に戻って、管理枡本体２１を構成する上部枡２２は底壁２２ａと周壁２２ｂを備え、その周壁２２ｂは下部鉛直枡２３の上端を包囲可能な大きさに形成される。そして、下部鉛直枡２３の上端周囲と周壁２２ｂとの間に周溝３３が形成されるように下部鉛直枡２３の上端が上部枡２２の底壁２２ａを貫通して設けられる。そして、その上部枡２２内部であって下部鉛直枡２３の上端周囲に形成された周溝３３は、流入管２０ａから供給されて下部鉛直枡２３の上端開口部に流入する水を一旦貯留して、その水に含まれる固形物を沈降させるように構成される。
【００２３】
また、上部枡２２の内部には蓋体２４を取り外すことにより開放された上端開口部から網板３４が挿入される。この網板３４は流入管２０ａ側が下方になるように傾斜して上部枡２２の内部に設けられ、傾斜した状態で下部鉛直枡２３の上端開口部と周溝３３を覆うように構成される。そして、この網板３４は、流入管２０ａから供給されて周溝３３を通過した後に下部鉛直枡２３の上端開口部に至る水を濾過可能に構成される。
【００２４】
また、周溝３３には、他端が図示しない下水管に連結された排水管３６の一端が連結される。この排水管３６は、周溝３３における水を図示しない下水管に流入させるためのものであり、この排水管３６の中間部分には沈砂槽３７が設けられる。そして、その沈砂槽３７の側壁にはその排水管３６の断面積を増減して、周溝３３から下水管に流入する水量を調整可能に構成された調整弁３８が設けられる。
【００２５】
このように構成された貯水槽用除塵管理枡では、流入管２０ａを介して外部から供給される水は管理枡本体２１を構成する下部鉛直枡２３から逆止弁２９及び水供給管２６を介して貯水槽１０に供給されるので、その水に土砂等が含有されていても、その土砂等は下部鉛直枡２３の内部で沈降する。このため、その土砂等が貯水槽１０に流入して堆積することを防止することができる。そして、水供給管２６又は連絡管２７に逆止弁２９を設けるので、貯水槽１０に供給された水が管理枡本体２１に逆流することは防止されるので、水を貯留するという貯水槽１０の本来的機能を損なうようなことはない。
【００２６】
ここで、流入管２０ａから供給されて管理枡本体２１内部に流入する水は、その管理枡本体２１内部に貯留された水を攪拌することになる。けれども、本発明では、管理桝本体２１の内部に開口した水供給管２６の端部に連絡管２７の上端を連結させる。このため、管理枡本体２１内部に流入する水が連絡管２７の内部における水まで攪拌するようなことはない。このため、塵が舞い上がってその塵が水とともに連絡管２７に流入しても、その塵は連絡管２７の内部で沈降してその上端に連結された水供給管２６にまで達することはない。よって、この連絡管２７を介して管理桝本体２１に貯留された水を貯水槽１０に供給することにより、貯水槽１０に供給される水から塵を高い確率で除去することが可能となる。特に、この実施の形態における連絡管２７は、水の供給断面積が２０〜１８０ｃｍ2であって、長さが３０〜２００ｃｍであるので、下端から連絡管２７の内部に流入した水から塵をその連絡管２７の内部で確実に沈降させ、その塵が水供給管２６に達することを効果的に防止することができる。
【００２７】
また、上部枡２２の内部に設けられた網板３４は、流入管２０ａから供給される水からその網板３４で捕獲可能な比較的大きな塵を周溝３３に至る水から除去する。このため、その後下部鉛直枡２３に流入する水に含まれる比較的大型の塵の量を減少させることができる。また、上部枡２２の内部の下部鉛直枡２３の上端周囲に形成された周溝３３は、流入管２０ａから供給されて下部鉛直枡２３の上端開口部に流入する水に含まれる固形物を沈降させるので、管理枡本体２１内部に貯留された水に含まれる塵の量を更に減少させることができる。このため、下部鉛直枡２３に流入して貯留された水が攪拌された場合に舞い上がる塵の量は著しく減少し、貯水槽１０に供給される水から塵を更に高い確率で除去することができる。
【００２８】
更に、この周溝３３は、水に含まれる固形物を沈降させる部分であるけれども、この周溝３３の全てが固形物で満たされると下部鉛直枡２３に流入する水からその塵となる固形物を除去することが困難になる。しかし、この貯水槽用除塵管理枡では、配水管３６を介して周溝３３における水をそこに沈降した固形物とともに下水管に流入させる配水管３６を設けるので、周溝３３が固形物で満たされるような事態を有効に回避することができる。そして、周溝３３から下水管に流入する水量を調整可能な調整弁３８が排水管３６に設けるので、その調整弁３８を調整することにより、下部鉛直枡２３に流入して貯留される水の量を調整することが可能となる。
【００２９】
一方、下部鉛直枡２３の内部に沈降した土砂等は、蓋体２４を管理枡本体２１から取り外してその上端開口部を開放させ、その開口部から下部鉛直枡２３の底部を吸引するような手段により掃除することができる。これと同様に、凹溝３３に沈降した固形物等にあっても、及び比較的大きな塵を捕獲した網板３４にあっても、蓋体２４を管理枡本体２１から取り外して開放された上端開口部から凹溝３３の底部を吸引し、又は網板３４を取り外すことにより、それらを洗浄することができる。このため、網板３４を洗浄することにより、及び凹溝３３及び下部鉛直枡２３の底部から沈降した土砂等を除去することにより、本発明の貯水槽用除塵管理枡２０の管理を適切に行うことが可能になる。
【００３０】
なお、上述した実施の形態では、下部鉛直枡２３を貯水槽１０の内部に立設したが、図４に示すように、下部鉛直枡２３を貯水槽１０の側方に近接して立設させても良い。この場合、管理枡本体２１を構成する下部鉛直枡２３の内部に貯留された水を貯水槽１０に供給する水供給管２６によりその下部鉛直枡２３と貯水槽１０を連結することになるけれども、下部鉛直枡２３と貯水槽１０の相対的な位置の変動を吸収させるためのベローズ２６ａを水供給管２６に設けることが好ましい。
また、上述した実施の形態では、水供給管２６が下部鉛直枡２３に上下に所定の間隔をあけて２箇所に設けられる場合を説明したが、単一の水供給管２６を下部鉛直枡２３に設けても良く、単一の下部連絡管２３に水供給管２６を上下に所定の間隔をあけて３箇所又は４箇所設けても良い。
【００３１】
また、上述した実施の形態では、貯水槽１０として、雨水の再利用を目的とするものを用いて説明したが、滞水材１２の集合体を雨水の透過を許容する透水シートにより被覆して貯水槽を形成し、洪水の発生を回避することを目的とする貯水槽として用いても良い。この場合には、逆止弁２９を設けることを必ずしも必要としない。
また、上述した実施の形態では、連絡管２７が鉛直に設けられる場合を説明したが、水とともに連絡管２７に流入した塵がその連絡管２７の内部で沈降可能である限り、この連絡管２７は鉛直である場合に限定されずに、その鉛直線に対して傾斜していても良い。
【００３２】
更に、上述した実施の形態では、連絡管２７に逆止弁２９を設けた場合を説明したが、水供給管２６に逆止弁２９を設けても良い。また、逆止弁２９におけるフロート３２は水に沈むものを使用したが、管理桝本体２１内部の水位が貯水槽１０内部の水位以上のときに管理桝本体２１内部から貯水槽１０に水が流れるのを許容し、管理桝本体２１内部の水位が貯水槽１０の水位未満のとき貯水槽１０の水が管理桝本体２１内部に流れるのを阻止するものである限り、フロート３２は水に浮くようなものを使用しても良い。
【図面の簡単な説明】
【００３３】
【図１】本発明実施形態の貯水槽用除塵管理枡の構成を示す断面図である。
【図２】その逆止弁が水の流れを禁止する状態を示す図１のＡ部における拡大断面図である。
【図３】その逆止弁が水の流れを許容する状態を示す図２に対応する断面図である。
【図４】管理枡本体が貯水槽の近傍に設けられる別の除塵管理枡の構成を示す図１に対応する断面図である。
【符号の説明】
【００３４】
１０  貯水槽
２０  除塵管理枡
２０ａ  流入管
２１  管理枡本体
２２  上部枡
２２ａ  底壁
２３  下部鉛直枡
２４  蓋体
２６  水供給管
２７  連絡管
２９  逆止弁
３３  周溝
３４  網板
３６  排水管
３８  調整弁
【図１】
2008308974.tif 000003
【図２】
2008308974.tif 000004
【図３】
2008308974.tif 000005
【図４】
2008308974.tif 000006